(57)【要約】【課題】  薄型化を可能とする共に、部品点数を減らし、かつ、製造工程を簡単化することを可能とするスピーカを提供する。【解決手段】  板状のフレーム１と、円錐形状をした振動板４と、フレーム１に取り付けられると共に、振動板４の前面側に配置された磁気回路９と、磁気回路９により駆動されると共に、ボビン６Ａが振動板４に取り付けられているボイスコイル６と、立上がり部５Ａが形成されていると共に、可動部が振動板４に取り付けられているダンパ５とを有し、ダンパ５の立上がり部５Ａはガスケットまたはダンパーリングを介してフレーム１に取り付けられている。【選択図】  図１
2005348031.tif 000002
【特許請求の範囲】
【請求項１】
円錐形状をした振動板（４）と、
前記振動板（４）の前面側に配置された磁気回路（９）と、
前記磁気回路（９）により駆動されると共に、ボビン（６Ａ）が前記振動板（４）に取り付けられているボイスコイル（６）と、
可動部が前記振動板（４）に取り付けられているダンパ（５）と、
を有することを特徴とするスピーカ。
【請求項２】
板状のフレーム（１）と、
円錐形状をした振動板（４）と、
前記フレーム（１）に取り付けられると共に、前記振動板（４）の前面側に配置された磁気回路（９）と、
前記磁気回路（９）により駆動されると共に、ボビン（６Ａ）が前記振動板（４）に取り付けられているボイスコイル（６）と、
立上がり部（５Ａ）が形成されていると共に、可動部が前記振動板（４）に取り付けられているダンパ（５）と、
を有し、
前記ダンパ（５）の立上がり部（５Ａ）はガスケットまたはダンパーリングを介して前記フレーム（１）に取り付けられていることを特徴とするスピーカ。
【請求項３】
前記振動板（４）は、前記磁気回路（９）のヨーク（９Ａ）と対向する部分が平らな平坦部分（４Ｂ）を有することを特徴とする請求項１または２に記載のスピーカ。
【発明の詳細な説明】
【技術分野】
【０００１】
本発明は薄型のスピーカに関する。
【背景技術】
【０００２】
薄型化された装置にスピーカを組み込む場合、このスピーカにも薄型のものが要求される。特に、この装置が液晶パネルなどを用いた薄型テレビジョンである場合、薄型テレビジョンの厚さも必然的に薄くなる。こうした薄型の装置にスピーカを組み込む場合、特に厚みの薄いスピーカが必要である。こうした薄型のスピーカとして、振動板の前面側に磁気回路を配置した構造のものがある（特許文献１）。
【特許文献１】特開昭６２−１３６１９６号公報
【発明の開示】
【発明が解決しようとする課題】
【０００３】
従来のスピーカには、次の課題がある。特許文献１に記載されたスピーカでは、図３に示すように、第１のフレーム１０１を振動板１１０の前面側に設け、この第１のフレーム１０１に磁気回路１２０を取り付けている。また、振動板１１０の後面側に凹状の第２のフレーム１０２を設け、この第２のフレーム１０２にダンパ１３０を取り付けている。そして、第２のフレーム１０２を第１のフレーム１０１に固定している。また、従来のスピーカでは、ボイスコイル１４０に振動板１１０とダンパ１３０とを取り付けている。
【０００４】
こうした構造により、従来のスピーカでは、振動板１１０の振幅による振動板１１０と磁気回路１２０のヨーク１２１との接触を避けるために、距離ａを大きくする必要がある。また、ボイスコイル１４０に振動板１１０とダンパ１３０とを固定するために、厚みｂが必要になる。したがって、従来のスピーカでは、距離ａを大きくし、また厚みｂが必要であるので、これらの分だけスピーカが厚くなってしまう。
【０００５】
また、従来のスピーカには、２つのフレーム（第１および第２のフレーム１０１、１０２）が必要であり、部品点数が多く、製造工程が複雑になる。さらに、従来のスピーカでは、ターミナル１５０を第２のフレーム１０２の側面に取り付けているために、ダンパ１３０が接近しているが、スピーカの薄型化のためにターミナル１５０を伸ばすことができず、半田付けの製造工程が容易ではない。
【０００６】
本発明は、前記の課題を解決し、薄型化を可能とする共に、部品点数を減らし、かつ、製造工程を簡単化することを可能とするスピーカを提供することにある。
【課題を解決するための手段】
【０００７】
前記課題を解決するために、請求項１の発明は、円錐形状をした振動板と、前記振動板の前面側に配置された磁気回路と、前記磁気回路により駆動されると共に、ボビンが前記振動板に取り付けられているボイスコイルと、可動部が前記振動板に取り付けられているダンパとを有することを特徴とするスピーカである。
請求項２の発明は、板状のフレームと、円錐形状をした振動板と、前記フレームに取り付けられると共に、前記振動板の前面側に配置された磁気回路と、前記磁気回路により駆動されると共に、ボビンが前記振動板に取り付けられているボイスコイルと、立上がり部が形成されていると共に、可動部が前記振動板に取り付けられているダンパとを有し、前記ダンパの立上がり部はガスケットまたはダンパーリングを介して前記フレームに取り付けられていることを特徴とするスピーカである。
請求項３の発明は、請求項１または２に記載のスピーカにおいて、前記振動板は、前記磁気回路のヨークと対向する部分が平らな平坦部分を有することを特徴とする。
【発明の効果】
【０００８】
本発明によれば、ダンパを振動板に取り付け、振動板にボイスコイルを取り付けたので、ボイスコイルに対するダンパの取り付け分だけ、スピーカの形状を薄型にすることができる。また、ダンパに立上がり部を設け、この立上がり部を、ガスケットを介してフレームに取り付けたので、従来のフレームを不要にすることができ、部品点数を減らすことができる。さらに、ヨークの先端に対向する振動板の部分に平坦部分を設けたので、振幅距離と再生帯域とを確保しながら、スピーカを薄型にすることができる。
【発明を実施するための最良の形態】
【０００９】
つぎに、本発明を実施するための最良の形態について、図面を参照して説明する。図１は、本実施形態によるスピーカを示す断面図であり、図２は、図１のスピーカを分解した様子を示す断面図である。なお、図２では、図面の複雑化を避けるために、部材の繋がり表す線の記載を省略している。本実施形態によるスピーカは、平面形状をしたフレーム１を備えている。フレーム１には、複数の開口１Ａと、ネジ穴１Ｂとが開けられている。フレーム１には、円環状の第１の凹部１Ｃが端部側に設けられ、中心側に円環状の第２の凹部１Ｄが設けられている。さらに、フレーム１には、２つの挿通穴１Ｅが開けられている。
【００１０】
フレーム１の第１の凹部１Ｃには、円筒状のガスケット２の一方の端面が取り付けられている。ガスケット２の側面には、挿通穴２Ａが開けられ、挿通穴２Ａによりターミナル３が取り付けられている。
【００１１】
振動板４は円錐形状をしており、振動板４の支持材４Ａがガスケット２の他方の端面に取り付けられている。また、円錐形状をした振動板４の先端部分のエッジに、平坦部分４Ｂが形成されている。平坦部分４Ｂの幅ｍは、後述する磁気回路９のヨーク９Ａの厚さｎに比べて広くなっている。これによって、振動板４が振動したときに、平坦部分４Ｂがヨーク９Ａの先端まで動くことが可能であり、本実施形態によるスピーカにおいては、従来の延長部分４Ｃ（図２）の高さｐだけ薄くすることができる。
【００１２】
ガスケット２の他方の端面には、振動板４の支持材４Ａを介してダンパ５が取り付けられている。ダンパ５の周縁に立上がり部５Ａが形成され、立上がり部５Ａの周縁がＬ字状に折り曲げられて、フランジ部５Ｂが形成されている。このフランジ部５Ｂが先に述べたようにガスケット２に取り付けられている。ダンパ５の内側周縁である可動部が先に述べた振動板４の平坦部分４Ｂに取り付けられているので、本実施形態によるスピーカにおいては、ダンパ５が振動板４を保持している構造である。
【００１３】
振動板４の平坦部分４Ｂの周縁には、ボイスコイル６のボビン６Ａが取り付けられている。ボビン６Ａの一方の端部はキャップ７で塞がれ、他方の端部にはコイル部分６Ｂが巻回されている。コイル部分６Ｂは、ターミナル３と電気的に接続されている。つまり、ターミナル３に接続されたリード線８がフレーム１の挿通穴１Ｅを通って固定される。さらに、リード線８は、振動板４に固定されると共に、ボイスコイル６のコイル部分６Ｂのリード線に接続される。本実施形態によるスピーカにおいては、ボイスコイル６は、振動板４の前面側に配置されると共に、振動板４を介してダンパ５に支持されている構造である。
【００１４】
一方、フレーム１の第２の凹部１Ｄには、磁気回路９が取り付けられている。磁気回路９はヨーク９Ａとマグネット９Ｂとポール９Ｃを備えている。ヨーク９Ａは一端が塞がれた円筒であり、ヨーク９Ａの底部分は、フレーム１のネジ穴１Ｂを通したネジ１Ｆによって、フレーム１に固定されている。マグネット９Ｂとポール９Ｃとはヨーク９Ａ内に取り付けられ、ヨーク９Ａと、マグネット９Ｂおよびポール９Ｃとの間には、ギャップが形成されている。そして、このギャップには、先に述べたボイスコイル６のコイル部分６Ｂが挿入されている。
【００１５】
本実施形態によるスピーカは前記の構成である。この構成によれば、ヨーク９Ａの先端に対向する振動板４に平坦部分４Ｂを設けたので、振幅距離と再生帯域とを確保しながら、スピーカの形状を高さｐだけ薄型にすることができる。
【００１６】
また、この構成によれば、ダンパ５を振動板４に取り付け、さらに、振動板４にボイスコイル６を取り付けたので、従来のスピーカに必要であった、ボイスコイル６に対するダンパ５の取り付け分だけ、スピーカの形状を薄型にすることができる。
【００１７】
また、この構成によれば、ダンパ５に立上がり部５Ａを設け、この立上がり部５Ａを、ガスケット２を介してフレーム１に取り付けたので、従来のフレームを不要にすることができ、部品点数を減らすことができる。これによって、スピーカの製造工程を簡略にすることができる。
【００１８】
さらに、この構成によれば、ターミナル３をガスケット２（ダンパーリング）に付けることにより、ターミナル３を伸ばすことができ、少ないスペースでスピーカ後面から容易に配線をすることができる。
【００１９】
以上、この発明の実施形態を詳述してきたが、具体的な構成はこの実施形態に限られるものではなく、この発明の要旨を逸脱しない範囲の設計の変更等があっても、この発明に含まれる。
【図面の簡単な説明】
【００２０】
【図１】本発明の実施形態によるスピーカを示す断面図である。
【図２】図１のスピーカを分解した様子を示す断面図である。
【図３】従来のスピーカを示す断面図である。
【符号の説明】
【００２１】
１  フレーム
１Ａ  開口
１Ｂ  ネジ穴
１Ｃ  第１の凹部
１Ｄ  第２の凹部
１Ｅ  挿通穴
１Ｆ  ネジ
２  ガスケット
２Ａ  挿通穴
３  ターミナル
４  振動板
４Ａ  支持材
４Ｂ  平坦部分
４Ｃ  延長部分
５  ダンパ
５Ａ  立上がり部
５Ｂ  フランジ部
６  ボイスコイル
６Ａ  ボビン
６Ｂ  コイル部分
７  キャップ
８  リード線
９  磁気回路
９Ａ  ヨーク
９Ｂ  マグネット
９Ｃ  ポール
【図１】
2005348031.tif 000003
【図２】
2005348031.tif 000004
【図３】
2005348031.tif 000005